(57)【特許請求の範囲】
【請求項１】
ベースと外胴とからなる本体内を仕切板により熱交換室と機械室とに区画し、前記熱交換室に熱交換器と送風機を配備し、前記機械室に圧縮機とともにアキュムレータ等の管体を配備してなるものにおいて、前記外胴の前面下部左右に手掛部を設ける一方、前記ベースの後方一側に手掛部を備えた手掛具を設け、他側に手掛部と前記管体を支持する支持部とを備えたもう一つの手掛具を設けるとともに、前記外胴の背面下部左右に前記二つの手掛具に対応した開口部を設けてなることを特徴とする空気調和機の室外機。
【請求項２】
前記支持部が一対の支持片からなり、上部に前記管体に当接する凹部を備え、下部に前記ベースへの取付面と補強リブとを備えてなる請求項１記載の空気調和機の室外機。
【発明の詳細な説明】
【０００１】
【発明の属する技術分野】
本発明は空気調和機の室外機に係わり、より詳しくは、同室外機の前後下部左右に運搬用の手掛部を設けるとともに、その一つにアキュムレータ等の管体を支持する支持部を一体成形してなる構造に関する。
【０００２】
【従来の技術】
空気調和機の室外機は例えば図４と図５に示すような構造になっている。図４は室外機の外観を示し、図５は内部構成の概略を示したもので、この室外機においては、ベース１と外胴２Ａとからなる本体内を仕切板３により熱交換室４と機械室５とに区画し、熱交換室４に熱交換器６と送風機７を配備し、機械室５に圧縮機８と、アキュムレータ等の管体９と、電装品を収めた電装品箱１０等が配備されている。外胴２Ａは背面と左右両側面が一体に形成された鋼板製のリヤカバー２ａと、合成樹脂製のフロントカバー２ｂと、鋼板製の天板２ｃとからなり、リヤカバー２ａには熱交換器６が対向する背面と左側面とに外気を吸い込む吸込口を設け、左右両側面に手掛部２ｄを備えた手掛具２ｅを設けた構成になっており、フロントカバー２ｂには熱交換された空気を吐き出す吐出口２ｆが設けられている。
【０００３】
【発明が解決しようとする課題】
ところで、上記従来の室外機は左右の手掛部２ｄを利用すれば一人で持ち上げて運搬することができるが、室外機がより大型になると重量も増し、一人での運搬が困難となり、落下させる恐れがあった。また、図５に示すように、機械室５の空間にはアキュムレータ等の比較的重い管体９が配管接続により配備されているが、落下による衝撃を受けると配管２２が変形する恐れがあり、冷凍サイクルに悪影響を及ぼしたり、騒音の原因になってしまうという問題点を有していた。したがって、本発明においては、これらの課題を解決可能にした空気調和機の室外機を提供することを目的としている。
【０００４】
【課題を解決するための手段】
本発明は上記の課題を解決するためになされたもので、ベースと外胴とからなる本体内を仕切板により熱交換室と機械室とに区画し、前記熱交換室に熱交換器と送風機を配備し、前記機械室に圧縮機とともにアキュムレータ等の管体を配備してなるものにおいて、前記外胴の前面下部左右に手掛部を設ける一方、前記ベースの後方一側に手掛部を備えた手掛具を設け、他側に手掛部と前記管体を支持する支持部とを備えたもう一つの手掛具を設けるとともに、前記外胴の背面下部左右に前記二つの手掛具に対応した開口部を設けてなる構成とする。
【０００５】
また、前記支持部が一対の支持片からなり、上部に前記管体に当接する凹部を備え、下部に前記ベースへの取付面と補強リブとを備えた構成とする。
【０００６】
【発明の実施の形態】
以下、本発明の実施の形態を図１乃至図３に基づいて説明する。
図１は室外機の概略構成を、図２は同室外機の背面側をそれぞれ斜視図で示したもので、この室外機においては、ベース１と外胴２とからなる本体内を仕切板３により熱交換室４と機械室５とに区画し、熱交換室４に熱交換器６と送風機７を配備し、機械室５に圧縮機８と、アキュムレータ等の管体９と、電装品を収めた電装品箱１０等が配備されている。
【０００７】
外胴２は背面と左右両側面が一体に形成された鋼板製のリヤカバー１１と、合成樹脂製のフロントカバー１２と、鋼板製の天板１３とからなり、リヤカバー１１には熱交換器６が対向する背面と左側面とに外気を吸い込む吸込口１４を設けるとともに、背面下部左右に、後で詳しく説明する手掛具１５、１６に対応した逆凹状の開口部１７、１８が設けられ、フロントカバー１２には熱交換された空気を吐き出す吐出口１９を設けるとともに、下部左右に運搬用の手掛部２０、２１を一体成形した形態になっている。
【０００８】
手掛具１５、１６は何れも合成樹脂製で、上部にそれぞれ手掛部１５ａ、１６ａが設けられ、下部をベース１の後部フランジの内側に当接させ、外側からネジ止めするようになっている。
【０００９】
図３は機械室５の後方下部に設けられた手掛具１６とその周辺部を拡大図示したもので、手掛具１６には手掛部１６ａとともに、上下が配管（２２）接続された管体（アキュムレータ）９の底部を支持する支持部１６ｂが一体に成形され、また、この支持部１６ｂは配管２２を挟むような一対の支持片からなり、上部に管体２２に当接する凹部１６ｃを備え、下部にベース１への取付面１６ｄと補強リブ１６ｅとを備えた構成になっており、この手掛具１６の前面下部左右はネジ２３でベース１の後部フランジ１ａの内側に固定され、取付面１６ｄはネジ２４でベース１の底面に固定されるようになっている。
【００１０】
以上の構成により、二人がそれぞれに前後の手掛部（２０と１５ａ、２１と１６ａ）を利用して室外機を運搬することができるため、一人では困難であったより大型の室外機でも安全な運搬が可能であり、また、機械室５後部の手掛具１６には手掛部１６ａとともにアキュムレータ等の管体９を支持する支持部１６ｂが設けられているため、万一室外機を運搬時に落下させた場合であっても管体９の落ち込みがなく、配管２２を変形させてしまうような事故もなくなる。
【００１１】
なお、以上説明した室外機においては、手掛具１５とリヤカバー１１とが別体になっているが、リヤカバー１１が合成樹脂製である場合には両者を一体に成形してもよい。
【００１２】
【発明の効果】
以上説明したような構成の室外機であるならば、より大型の室外機であっても安全な運搬が可能であり、万一落下させたとしても配管等を変形させる恐れはないので性能は保持され、品質的に安定した室外機の提供が可能である。
【図面の簡単な説明】
【図１】本発明の実施の形態を示す室外機の構成斜視図である。
【図２】本発明の実施の形態を示す室外機の外観斜視図である。
【図３】本発明の実施の形態を示す要部拡大斜視図である。
【図４】従来例を示す室外機の外観斜視図である。
【図５】従来例を示す室外機の内部構成斜視図である。
【符号の説明】
１  ベース
２  外胴
３  仕切板
４  熱交換室
５  機械室
９  管体（アキュムレータ）
１１  リヤカバー
１２  フロントカバー
１３  天板
１４  吸込口
１５  手掛具
１５ａ  手掛部
１６  手掛具
１６ａ  手掛部
１６ｂ  支持部（支持片）
１６ｃ  凹部
１６ｄ  取付面
１６ｅ  補強リブ
１７、１８  開口部
１９  吐出口
２０、２１  手掛部
２２  配管
【図１】
0003843888.tif 000002
【図２】
0003843888.tif 000003
【図３】
0003843888.tif 000004
【図４】
0003843888.tif 000005
【図５】
0003843888.tif 000006